(57)【要約】【課題】印刷装置単体で画像ファイルのファイル操作を容易に行う。【解決手段】印刷装置１００は、画像ファイルの縮小画像ＲＧと、画像ファイルに対する種々の操作を指定するための操作指定欄ＡＣとを配置したオーダシートＳＴを印刷する。ユーザは、このオーダシートの操作指定欄ＡＣに対して、新たなファイル名や移動先のフォルダ番号、コメント等を記入する。印刷装置１００は、記入済みのオーダシートをスキャナによって読み取ると、その内容を解析し、指定されたファイル操作を指定された画像ファイルに対して行う。【選択図】図４
2007235339.tif 000002
【特許請求の範囲】
【請求項１】
印刷装置であって、
画像ファイルを記憶する記憶手段と、
前記画像ファイルの一覧と、該各画像ファイルに対して行うファイル操作を指定する操作指定欄とを配置したオーダシートを印刷するオーダシート印刷手段と、
前記操作指定欄によって各画像ファイルに対するファイル操作が指定されたオーダシートを読み取る読取手段と、
前記オーダシートを解析して、前記操作指定欄によって指定されたファイル操作を、前記各画像ファイルに対して行うファイル操作手段と
を備える印刷装置。
【請求項２】
請求項１に記載の印刷装置であって、
前記オーダシート印刷手段は、前記操作指定欄として、前記画像ファイルの新たなファイル名を記入する欄を前記オーダシートに印刷し、
前記ファイル操作手段は、前記オーダシートによって指定された画像ファイルのファイル名を、前記操作指定欄に記入された新たなファイル名に変更する
印刷装置。
【請求項３】
請求項２に記載の印刷装置であって、
前記オーダシート印刷手段は、前記操作指定欄に、前記画像ファイルの既定のファイル名を所定の色で印刷する手段を備え、
前記読取手段は、前記オーダシートを読み取る際に、前記オーダシートに印刷された前記所定の色以外の色の部分を読み取る
印刷装置。
【請求項４】
請求項１に記載の印刷装置であって、
前記オーダシート印刷手段は、前記操作指定欄として、前記画像ファイルの削除を指定するための欄を前記オーダシートに印刷し、
前記ファイル操作手段は、前記操作指定欄によって削除の指定があった画像ファイルを削除する
印刷装置。
【請求項５】
請求項１に記載の印刷装置であって、
前記オーダシート印刷手段は、前記操作指定欄として、前記画像ファイルの保存先となるフォルダを指定するための欄を前記オーダシートに印刷し、
前記ファイル操作手段は、前記操作指定欄によって指定されたフォルダに、指定された画像ファイルを保存する
印刷装置。
【請求項６】
請求項１に記載の印刷装置であって、
前記オーダシート印刷手段は、前記操作指定欄として、前記画像ファイルが保存される新たなフォルダを生成するための欄を前記オーダシートに印刷し、
前記ファイル操作手段は、前記操作指定欄によって指定された新たなフォルダを生成する手段を備える
印刷装置。
【請求項７】
請求項１に記載の印刷装置であって、
前記オーダシート印刷手段は、前記操作指定欄として、前記画像ファイルの属性を指定するための欄を前記オーダシートに印刷し、
前記ファイル操作手段は、前記操作指定欄によって指定された画像ファイルの属性を指定された属性に設定する
印刷装置。
【請求項８】
請求項１に記載の印刷装置であって、
前記オーダシート印刷手段は、前記操作指定欄として、前記画像ファイルに対して、お勧め度、失敗度、コメント、のうち、少なくともいずれか１つの情報を関連づけるための欄を前記オーダシートに印刷し、
前記ファイル操作手段は、前記操作指定欄によって指定された画像ファイルに対して前記情報を関連づける
印刷装置。
【請求項９】
請求項１に記載の印刷装置であって、
前記オーダシート印刷手段は、前記操作指定欄として、外部機器に対する前記画像ファイルの転送を指定するための欄を前記オーダシートに印刷し、
前記ファイル操作手段は、前記操作指定欄によって転送を指定された画像ファイルを、前記外部機器に転送する
印刷装置。
【請求項１０】
画像ファイルを記憶し、スキャナを備えた印刷装置がファイル操作を行う方法であって、
前記画像ファイルの一覧と、該各画像ファイルに対して行うファイル操作を指定する操作指定欄とを配置したオーダシートを印刷し、
前記操作指定欄によって各画像ファイルに対するファイル操作が指定されたオーダシートを前記スキャナによって読み取り、
前記オーダシートを解析して、前記操作指定欄によって指定されたファイル操作を、前記各画像ファイルに対して行う
ファイル操作方法。
【請求項１１】
印刷装置とスキャナとが接続され、画像ファイルを記憶したコンピュータがファイル操作を行うためのコンピュータプログラムであって、
前記画像ファイルの一覧と、該各画像ファイルに対して行うファイル操作を指定する操作指定欄とを配置したオーダシートを前記印刷装置によって印刷する機能と、
前記操作指定欄によって各画像ファイルに対するファイル操作が指定されたオーダシートを前記スキャナによって読み取る機能と、
前記オーダシートを解析して、前記操作指定欄によって指定されたファイル操作を、前記各画像ファイルに対して行う機能と
をコンピュータに実現させるためのコンピュータプログラム。
【請求項１２】
請求項１１に記載のコンピュータプログラムを記録したコンピュータ読取可能な記録媒体。
【発明の詳細な説明】
【技術分野】
【０００１】
本発明は、印刷装置において画像ファイルを管理する技術に関する。
【背景技術】
【０００２】
近年、スキャナやメモリカードリーダを内蔵した複合機と呼ばれる印刷装置が普及しつつある（例えば、下記特許文献１参照）。このような印刷装置では、メモリカード等から入力した画像ファイルの一覧をオーダシートとして印刷する機能を有するものがある。ユーザは、このオーダシートに設けられたマーキング欄を筆記具で塗りつぶすことにより、印刷を希望する画像ファイルを指定することができる。印刷装置は、オーダシートをスキャナによって読み込むと、各画像ファイル毎に設けられたマーキング欄のマーキングの有無を解析し、マーキングが施されている画像ファイルについて印刷を行う。
【０００３】
【特許文献１】特開２００２−１３７４９９号公報
【０００４】
また、近年、大容量な記憶装置であるハードディスクを内蔵する印刷装置も登場している。このような印刷装置では、予めメモリカードからハードディスクに画像ファイルを転送しておくことで、ハードディスク内に保存しておいた画像をいつでも印刷することができる。
【０００５】
このように、最近では、コンピュータを用いることなく、印刷装置単体で、画像ファイルを扱う機会が増えてきている。そこで、印刷装置単体で、画像ファイルのファイル名の変更や、保存されているフォルダの変更といったファイル操作を行いたいという要求がある。しかし、印刷装置に備えられている表示装置は小型のものが多く、また、操作ボタンの数も限られているため、このような操作を印刷装置単体で行うことは非常に困難であった。
【発明の開示】
【発明が解決しようとする課題】
【０００６】
このような問題を考慮し、本発明が解決しようとする課題は、印刷装置単体で画像ファイルのファイル操作を容易に行うことにある。
【課題を解決するための手段】
【０００７】
上記課題を踏まえ、本発明の印刷装置を次のように構成した。すなわち、
画像ファイルを記憶する記憶手段と、
前記画像ファイルの一覧と、該各画像ファイルに対して行うファイル操作を指定する操作指定欄とを配置したオーダシートを印刷するオーダシート印刷手段と、
前記操作指定欄によって各画像ファイルに対するファイル操作が指定されたオーダシートを読み取る読取手段と、
前記オーダシートを解析して、前記操作指定欄によって指定されたファイル操作を、前記各画像ファイルに対して行うファイル操作手段と
を備えることを要旨とする。
【０００８】
本発明の印刷装置によれば、ユーザは、オーダシートを用いることで、画像ファイルの内容を確認しながらファイル操作の指定を行うことができる。そのため、印刷装置やコンピュータ等の機器の操作に不慣れな者であっても、容易に、画像ファイルの操作を行うことが可能になる。
【０００９】
上記構成の印刷装置において、
前記オーダシート印刷手段は、前記操作指定欄として、前記画像ファイルの新たなファイル名を記入する欄を前記オーダシートに印刷し、
前記ファイル操作手段は、前記オーダシートによって指定された画像ファイルのファイル名を、前記操作指定欄に記入された新たなファイル名に変更するものとしてもよい。
【００１０】
このような構成によれば、ユーザは、オーダシートを用いることで、容易に画像ファイルのファイル名を変更することが可能になる。
【００１１】
かかる構成の印刷装置において、
前記オーダシート印刷手段は、前記操作指定欄に、前記画像ファイルの既定のファイル名を所定の色で印刷する手段を備え、
前記読取手段は、前記オーダシートを読み取る際に、前記オーダシートに印刷された前記所定の色以外の色の部分を読み取るものとしてもよい。
【００１２】
このような構成によれば、画像ファイルの既定のファイル名がオーダシートに予め印刷されるため、ユーザは、ファイル名の変更が必要であるか否かを容易に判断することができる。また、かかる構成によれば、オーダシートに所定の色で印刷された既定のファイル名は、読取手段によって読み取りが行われないため、既定のファイル名の上に、新たなファイル名を重ねて記入しても、そのファイル名を容易に解析することが可能になる。オーダシートに印刷される所定の色としては、視覚的に認識可能で、かつ、できるだけ薄い色であることが好ましい。
【００１３】
上記構成の印刷装置において、
前記オーダシート印刷手段は、前記操作指定欄として、前記画像ファイルの削除を指定するための欄を前記オーダシートに印刷し、
前記ファイル操作手段は、前記操作指定欄によって削除の指定があった画像ファイルを削除するものとしてもよい。
【００１４】
このような構成によれば、オーダシートを用いることで、不要な画像ファイルを容易に削除することが可能になる。
【００１５】
上記構成の印刷装置において、
前記オーダシート印刷手段は、前記操作指定欄として、前記画像ファイルの保存先となるフォルダを指定するための欄を前記オーダシートに印刷し、
前記ファイル操作手段は、前記操作指定欄によって指定されたフォルダに、指定された画像ファイルを保存するものとしてもよい。
【００１６】
このような構成によれば、オーダシートを用いることで、画像ファイルの保存先のフォルダを容易に指定することが可能になる。オーダシートには、例えば、各フォルダのフォルダ名の一覧を番号を付して印刷し、その番号をユーザが操作指定欄に記入することで、保存先のフォルダを指定するものとすることができる。また、フォルダの一覧は、ツリー構造によって視覚的に印刷するものとしてもよいし、フォルダの一覧をオーダシートとは別の用紙に印刷するものとしてもよい。
【００１７】
上記構成の印刷装置において、
前記オーダシート印刷手段は、前記操作指定欄として、前記画像ファイルが保存される新たなフォルダを生成するための欄を前記オーダシートに印刷し、
前記ファイル操作手段は、前記操作指定欄によって指定された新たなフォルダを生成する手段を備えるものとしてもよい。
【００１８】
このような構成によれば、オーダシートを用いることで、画像ファイルの保存先となる新たなフォルダを容易に生成することが可能になる。
【００１９】
上記構成の印刷装置において、
前記オーダシート印刷手段は、前記操作指定欄として、前記画像ファイルの属性を指定するための欄を前記オーダシートに印刷し、
前記ファイル操作手段は、前記操作指定欄によって指定された画像ファイルの属性を指定された属性に設定するものとしてもよい。
【００２０】
このような構成によれば、オーダシートを用いることで、容易に画像ファイルの属性を設定することが可能になる。画像ファイルの属性とは、例えば、読取専用、隠しファイル、上書き禁止、アーカイブなど、画像ファイルの性質のことをいう。
【００２１】
上記構成の印刷装置において、
前記オーダシート印刷手段は、前記操作指定欄として、前記画像ファイルに対して、お勧め度、失敗度、コメント、のうち、少なくともいずれか１つの情報を関連づけるための欄を前記オーダシートに印刷し、
前記ファイル操作手段は、前記操作指定欄によって指定された画像ファイルに対して前記情報を関連づけるものとしてもよい。
【００２２】
このような構成によれば、オーダシートを用いることで、画像ファイルのお勧め度や失敗度、コメントといった種々の情報を画像ファイルに関連づけることが可能になる。これらの情報は、画像ファイルのヘッダ情報に記録するものとしてもよいし、画像ファイルとは別のデータとして管理するものとしてもよい。
【００２３】
上記構成の印刷装置において、
前記オーダシート印刷手段は、前記操作指定欄として、外部機器に対する前記画像ファイルの転送を指定するための欄を前記オーダシートに印刷し、
前記ファイル操作手段は、前記操作指定欄によって転送を指定された画像ファイルを、前記外部機器に転送するものとしてもよい。
【００２４】
このような構成によれば、オーダシートを用いることで、印刷装置から携帯電話やＰＤＡ等の外部装置に画像ファイルを容易に転送することが可能になる。
【００２５】
なお、本発明は、上述した印刷装置としての構成のほか、画像ファイルを記憶し、スキャナを備えた印刷装置がファイル操作を行う方法や、印刷装置とスキャナとが接続されたコンピュータがファイル操作を行うためのコンピュータプログラムとしても構成することができる。かかるコンピュータプログラムは、コンピュータが読取可能な記録媒体に記録されていてもよい。記録媒体としては、例えば、フレキシブルディスクやＣＤ−ＲＯＭ、ＤＶＤ−ＲＯＭ、光磁気ディスク、メモリカード、ハードディスク等の種々の媒体を利用することができる。
【発明を実施するための最良の形態】
【００２６】
以下、上述した本発明の作用・効果を一層明らかにするため、本発明の実施の形態を実施例に基づき次の順序で説明する。
Ａ．印刷装置の構成：
Ｂ．ファイル管理処理：
Ｃ．変形例：
【００２７】
Ａ．印刷装置の構成：
図１は、実施例としての印刷装置１００の外観図である。印刷装置１００は、いわゆる複合機タイプの印刷装置であり、光学的に画像を読み込むスキャナ１１０や、画像ファイルの記録されたメモリカードＭＣを挿入するためのメモリカードスロット１２０、携帯電話ＣＰとＩｒＤＡ（Infrared Data Association）規格に準拠した赤外線通信を行うための赤外線インタフェース１３０、コンピュータが接続されるＵＳＢインタフェース１３５等を備えている。印刷装置１００は、スキャナ１１０によって取り込んだ画像や、メモリカードＭＣから読み取った画像、コンピュータから受信した画像等の印刷を行うことができる。
【００２８】
印刷装置１００は、印刷に関する種々の操作を行うための操作パネル１４０を備えている。操作パネル１４０の中央部には、液晶モニタ１４５が備えられている。この液晶モニタ１４５には、メモリカードＭＣ等から読み取った画像や、印刷装置１００の各種機能を利用する際のＧＵＩ（グラフィカルユーザインタフェース）が表示される。
【００２９】
印刷装置１００は、赤外線インタフェース１３０を介して、画像ファイルを携帯電話ＣＰとの間で送受信する機能を有している。この機能により、印刷装置１００は、メモリカードＭＣや、内蔵するハードディスク（後述）に記憶された画像ファイルを携帯電話に転送することができ、また、携帯電話ＣＰのカメラ機能によって撮影した画像ファイルを、メモリカードＭＣやハードディスクに保存することができる。
【００３０】
図２は、印刷装置１００の内部構成を示す説明図である。図示するように、印刷装置１００は、印刷用紙Ｐに印刷を行う機構として、インクカートリッジ２１２を搭載したキャリッジ２１０や、キャリッジ２１０を主走査方向に駆動するキャリッジモータ２２０、印刷用紙Ｐを副走査方向に搬送する紙送りモータ２３０等を備えている。
【００３１】
キャリッジ２１０は、シアン、マゼンタ、イエロ、ブラック、ライトシアン、ライトマゼンタの色を現す各インクに対応して、計６種類のインクヘッド２１１を備えている。キャリッジ２１０には、これらのインクが収容されたインクカートリッジ２１２が装着されており、インクカートリッジ２１２からインクヘッド２１１に供給されたインクは、図示しないピエゾ素子を駆動することで印刷用紙Ｐに吐出される。
【００３２】
キャリッジ２１０は、プラテン２７０の軸方向と並行に設置された摺動軸２８０に移動自在に保持されている。キャリッジモータ２２０は、駆動ベルト２６０を回転させることで、プラテン２７０の軸方向と平行に、すなわち、主走査方向にキャリッジ２１０を往復運動させる。
【００３３】
紙送りモータ２３０は、プラテン２７０を回転させることで、プラテン２７０の軸方向と垂直に印刷用紙Ｐを搬送する。つまり、紙送りモータ２３０は、キャリッジ２１０を相対的に副走査方向に移動させることができる。
【００３４】
印刷装置１００は、上述したインクヘッド２１１やキャリッジモータ２２０、紙送りモータ２３０の動作を制御するための制御ユニット１５０を備えている。制御ユニット１５０には、これらの機構の他、図１に示したスキャナ１１０やメモリカードスロット１２０、赤外線インタフェース１３０、ＵＳＢインタフェース１３５、操作パネル１４０、液晶モニタ１４５が接続されており、これらの動作の制御も行う。
【００３５】
制御ユニット１５０は、ＣＰＵ１６０とＲＯＭ１７０とＲＡＭ１８０とハードディスク１９０とによって構成されている。ＲＯＭ１７０には、印刷装置１００の動作を制御するための制御プログラムが記憶されている。ＣＰＵ１６０は、かかる制御プログラムをＲＡＭ１８０に展開して実行することで、後述する種々の処理を行う。ＣＰＵ１６０は、本願の「オーダシート印刷手段」、「読取手段」、「ファイル操作手段」に相当する。
【００３６】
ハードディスク１９０は、メモリカードＭＣ等から取り込んだ画像ファイルＧＦや、赤外線インタフェース１３０を介して携帯電話ＣＰから転送された画像ファイルＧＦを記憶する装置である。なお、本実施例では、記憶装置としてハードディスクを備えるものとしたが、これに換えて、フラッシュメモリや光ディスクドライブ等の記憶装置を備えるものとしてもよい。
【００３７】
Ｂ．ファイル管理処理：
図３は、ＣＰＵ１６０がＲＯＭ１７０に記憶された制御プログラムに基づき実行するファイル管理ルーチンのフローチャートである。この処理は、液晶モニタ１４５に表示されたＧＵＩの中から、ファイルの管理を行うメニューが選択された場合に実行される処理である。
【００３８】
この処理が実行されると、まず、ＣＰＵ１６０は、メモリカードＭＣやハードディスク１９０から画像ファイルを入力する（ステップＳ１００）。画像ファイルの入力元は、ユーザが液晶モニタ１４５に表示されたＧＵＩを操作することにより任意に指定することができる。デフォルトでは、メモリカードＭＣから入力するものとする。
【００３９】
次にＣＰＵ１６０は、入力した画像ファイルの縮小画像と、各画像ファイルに対するファイル操作の種別を指定するための操作指定欄を配置したオーダシートのレイアウトを生成する（ステップＳ１１０）。
【００４０】
オーダシートのレイアウトを生成すると、ＣＰＵ１６０は、生成したオーダシートのレイアウト情報をハードディスク１９０に記憶する（ステップＳ１２０）。このレイアウト情報には、生成したオーダシートの識別ＩＤや、どの画像ファイルをオーダシート上のどの位置に配置したかを表す情報、オーダシート上の操作指定欄がどの画像ファイルに対応するかを表す情報などが含まれる。ＣＰＵ１６０は、レイアウト情報を記憶すると、インクヘッド２１１や紙送りモータ２３０、キャリッジモータ２２０等の印刷機構を制御して、生成したオーダシートの印刷を行う（ステップＳ１３０）。
【００４１】
図４は、こうして印刷されたオーダシートＳＴの一例を示す説明図である。図４に示したオーダシートＳＴには、３つの画像ファイルの縮小画像ＲＧが配置されている例を示している。各画像の右側には、それぞれ、その画像ファイルに対応した操作指定欄ＡＣが配置されている。
【００４２】
操作指定欄ＡＣは、ファイル名指定欄Ｃ１と、フォルダ指定欄Ｃ２と、属性指定欄Ｃ３と、コメント記入欄Ｃ４と、失敗度指定欄Ｃ５と、お勧め度指定欄Ｃ６と、削除指定欄Ｃ７と、携帯転送指定欄Ｃ８とから構成されている。
【００４３】
ファイル名指定欄Ｃ１は、画像ファイルのファイル名を指定するための欄である。ユーザは、画像ファイルのファイル名を変更したい場合に、このファイル名指定欄Ｃ１に所望のファイル名を記入する。
【００４４】
フォルダ指定欄Ｃ２は、画像ファイルを保存するフォルダを指定するための欄である。オーダシートＳＴの下部には、ハードディスク１９０あるいはメモリカードＭＣ内に存在するフォルダのリストが掲載されたフォルダリスト欄ＦＬが印刷されている。ユーザは、このフォルダリスト欄ＦＬを参照して、画像ファイルを保存するフォルダの番号をフォルダ指定欄Ｃ２に記入する。なお、図４に示したフォルダリスト欄ＦＬには、４つのフォルダを示しているが、１番から３番までは、既定のフォルダを表している。これに対して、４番のフォルダは、新たに生成されるフォルダを表している。ユーザは、新たなフォルダを生成したい場合には、新たに生成するフォルダのフォルダ名をフォルダ名記入欄Ｃ９に記入する。
【００４５】
属性指定欄Ｃ３は、画像ファイルの属性を指定するための欄である。図４に示したオーダシートＳＴでは、画像ファイルを読取専用にするか、通常の属性にするかを選択可能とするために、２つのマーキング欄を設けている。ユーザは、画像ファイルの削除や上書きを制限したい場合に、読取専用に対応するマーキング欄にマーキングを施す。なお、画像ファイルの属性としては、その他にも、例えば、上書き禁止、隠しファイル、削除禁止、アーカイブ、などの種々の属性を設定可能としてもよい。
【００４６】
コメント記入欄Ｃ４は、画像ファイルに対するコメントを記入する欄である。ユーザは、画像ファイルにコメントを付加したい場合に、このコメント記入欄Ｃ４に所望のコメントを記入する。画像ファイルのファイル形式がＥＸＩＦ形式であれば、このコメント記入欄Ｃ４に記入されたコメントは、画像ファイルのヘッダ情報に記録されることになる。画像ファイルのファイル形式がその他の形式であれば、ここに記入されたコメントは、画像ファイルに対応付けてハードディスク１９０やメモリカードＭＣに独立して記録される。
【００４７】
失敗度指定欄Ｃ５は、画像ファイルの撮影の失敗度を指定するための欄である。ユーザは、オーダシートＳＴに印刷された縮小画像ＲＧを見て、その画像の撮影の失敗度を判断し、その程度を、３段階の「☆」マークで指定する。画像ファイルのファイル形式がＥＸＩＦ形式であれば、こうして指定された失敗度は、画像ファイルのヘッダ情報にメーカノートとして記録される。画像ファイルのファイル形式がその他の形式であれば、ここで指定された失敗度は、画像ファイルに対応付けてハードディスク１９０やメモリカードＭＣに独立して記録される。
【００４８】
お勧め度指定欄Ｃ６は、画像ファイルのお勧め度を指定するための欄である。ユーザは、オーダシートＳＴに印刷された縮小画像ＲＧを見て、その画像のお勧め度を判断し、その程度を３段階の「☆」マークで指定する。画像ファイルのファイル形式がＥＸＩＦ形式であれば、こうして指定されたお勧め度は、画像ファイルのヘッダ情報に、メーカノートとして記録される。画像ファイルのファイル形式がその他の形式であれば、ここで指定されたお勧め度は、画像ファイルに対応付けてハードディスク１９０やメモリカードＭＣに独立して記録される。
【００４９】
削除指定欄Ｃ７は、画像ファイルの削除を指定するための欄である。ユーザは、オーダシートＳＴに印刷された縮小画像ＲＧを見て、その画像ファイルを削除すると判断した場合に、この削除指定欄Ｃ７にマーキングを施す。
【００５０】
携帯転送指定欄Ｃ８は、画像ファイルを携帯電話ＣＰに転送するための欄である。ユーザは、オーダシートＳＴに印刷された縮小画像ＲＧを見て、その画像ファイルを携帯電話ＣＰに転送したい場合には、この携帯転送指定欄Ｃ８マーキングを施す。
【００５１】
上述したファイル名指定欄Ｃ１、フォルダ指定欄Ｃ２、属性指定欄Ｃ３、コメント記入欄Ｃ４、失敗度指定欄Ｃ５、お勧め度指定欄Ｃ６には、これらの欄に対応する現在の画像ファイルの状態が、所定の薄い色（例えば、薄いシアン）で、予め印刷されている。そのため、ユーザは、画像ファイルの現在の状態を容易に確認することができ、例えば、既定の失敗度やお勧め度に応じて、削除を行う画像ファイルを判断したり、既定のコメントに応じて、保存するフォルダやファイル名の変更を行うことなどができる。ユーザは、これらの欄に新たな属性を記入する際には、予め印刷された情報に重ねて新たな情報を書き込む。
【００５２】
オーダシートＳＴの最下部には、各オーダシートに固有の識別ＩＤが印刷されている。印刷装置１００は、この識別ＩＤをスキャナによって読み取ることにより、ユーザがどのオーダシートＳＴを利用しているかを識別することができる。
【００５３】
ここで、説明を図３に戻す。上記ステップＳ１３０によって、図４に示したオーダシートＳＴが印刷されると、ユーザは、このオーダシートＳＴの各種記入欄に、筆記具を用いて所望の情報を記入する（ステップＳ１４０）。ユーザは、記入を終えると、記入済みのオーダシートをスキャナ１１０にセットし、操作パネル１４０を用いて、所定の読取操作を行う。
【００５４】
ユーザによる読取操作を検出すると、ＣＰＵ１６０は、スキャナ１１０を用いて、オーダシートの読み取りを行う（ステップＳ１５０）。このとき、ＣＰＵ１６０は、画像データとして読み取ったオーダシートＳＴの中から、オーダシートＳＴに予め印刷された所定の薄い色を除去する処理を行う。こうすることで、薄い色部分以外の、ユーザによって記入された部分だけを抽出することができる。そして、抽出された部分のうち、ユーザによって手書きされた文字を、周知のＯＣＲ技術によってテキスト形式に変換する。
【００５５】
ＣＰＵ１６０は、上記ステップＳ１５０によって読み取ったオーダシートＳＴの識別ＩＤと、ハードディスク１９０に記憶されたレイアウト情報とを対比することで、ファイル操作の対象となる画像ファイルを特定する。そして、特定された画像ファイルに対して、オーダシートＳＴによって指定されたファイル操作を実行する（ステップＳ１６０）。
【００５６】
すなわち、ＣＰＵ１６０は、ファイル名指定欄Ｃ１にファイル名が記入されていれば、その画像ファイルのファイル名を変更し、フォルダ指定欄Ｃ２に、フォルダ番号が記入されていれば、その番号に対応するフォルダに画像ファイルを移動させる。また、属性指定欄Ｃ３に読取専用と指定されていれば、その画像ファイルの属性を読取専用とし、コメント記入欄Ｃ４や、失敗度指定欄Ｃ５、お勧め度指定欄Ｃ６にコメントや失敗度、お勧め度が記入されていれば、画像ファイルのヘッダ情報にこれらの情報を書き込む。また、削除指定欄Ｃ７にチェックが入っていれば、その画像ファイルを削除し、携帯転送指定欄Ｃ８にチェックが入っていれば、その画像ファイルを携帯電話ＣＰに転送する。画像ファイルを削除する場合や、携帯電話ＣＰに転送する場合には、その旨を液晶モニタ１４５に表示して、ユーザに注意を促すものとしてもよい。また、オーダシートＳＴに基づくファイル操作の結果、同一フォルダに同一のファイル名の画像ファイルが存在してしまう場合には、「ファイル名を変更してください」といった旨のエラーメッセージを付して、再度オーダシートを出力するものとしてもよい。ユーザは、かかるオーダシートによって、ファイル名の修正を行う。
【００５７】
以上で説明した本実施例の印刷装置１００によれば、オーダシートＳＴに記入されたユーザの指示に基づき、メモリカードＭＣやハードディスク１９０に記憶された画像ファイルに対して、種々のファイル操作を行うことができる。従って、印刷装置１００やコンピュータ等の操作に不慣れな者であっても、オーダシートＳＴに印刷された縮小画像の視認しながら、様々なファイル操作を容易に行うことが可能になる。また、本実施例によれば、オーダシートＳＴを用いてファイル操作を行うことができるので、印刷装置１００が備える液晶モニタ１４５が小型で、操作パネル１４０のボタン数が限られていたとしても、効率的かつ簡単にファイル操作を行うことが可能になる。
【００５８】
上述した実施例のファイル管理ルーチンにおいて画像ファイルの保存先のフォルダを変更する場合には、図４に示したように、フォルダリスト欄ＦＬから選択したフォルダの番号をフォルダ指定欄Ｃ２に記入するものとした。これに対して、フォルダの管理をより詳細に行うために、上記ステップＳ１３０において、図４に示したオーダシートＳＴに加えて、フォルダの管理を行うための専用のオーダシート（以下、「フォルダ管理オーダシート」と呼ぶ）を印刷するものとしてもよい。
【００５９】
図５は、フォルダ管理オーダシートＳＴ２の一例を示す説明図である。図５に示したフォルダ管理オーダシートＳＴ２には、ルートフォルダに、「外出」、「旅行」、「アメリカ視察」、「飛行機ショー」、「工場見学」、「バラ園」、「ゴルフコンペ」とそれぞれ名称が付された７つのフォルダＦＤが存在する例を示している。また、これらのうち、「旅行」と付された２つ目のフォルダには、「ドイツ旅行」と「アメリカ旅行」と名称が付された２つのサブフォルダが存在する例を示している。サブフォルダは、親フォルダに対して、左側のマージンを一定量空けて配置されており、親フォルダとサブフォルダとには、対応関係が明確になるよう補助線ＡＬが引かれている。
【００６０】
各フォルダの右側には、そのフォルダＦＤを代表する画像ファイルが縮小画像によって３枚分表示されている。代表画像は、撮影日順やファイル名順、お勧め度順などによって自動的に選択されている。もちろん、これらはランダムに選択されているものとしてもよい。ユーザは、こうして印刷された代表画像を参照することで、画像ファイルをどのフォルダに保存するべきかを容易に判断することが可能になる。
【００６１】
各フォルダの現在のフォルダ名は、所定の薄い色で印刷されており、ユーザは、フォルダ名を変更する場合には、この薄い色で印刷されたフォルダ名の上から、新たなフォルダ名を記入する。
【００６２】
各フォルダのフォルダ名の下側には、それぞれ薄い色で「ＮＥＷ  ＦＯＬＤＥＲ」と記載されている欄がある。この欄は、そのフォルダに新たなサブフォルダを生成するための欄である。すなわち、ユーザがこの欄に所望のフォルダ名を記入すれば、そのフォルダ名の付された新たなフォルダが、そのフォルダのサブフォルダとして生成されることになる。
【００６３】
また、各フォルダの「ＮＥＷ  ＦＯＬＤＥＲ」と記載された欄の下側には、削除指定欄ＤＣが設けられている。ユーザは、この欄をマーキングすることにより、そのフォルダを削除することができる。なお、フォルダの削除時に、そのフォルダに画像ファイルが存在する場合には、その画像ファイルも削除されることになる。
【００６４】
各フォルダの左側には、「☆」マークに続けて、数値やアルファベットが記載されている。これらは、そのフォルダを一意に示す識別子である。すなわち、このフォルダ管理オーダシートＳＴ２と同時に印刷されたオーダシートＳＴのフォルダ指定欄Ｃ２にこの数値やアルファベットを記入することで、オーダシートＳＴ上で指定した画像ファイルが、このフォルダ管理オーダシートＳＴ２に示されたフォルダに移動することになる。なお、印刷装置１００は、このフォルダ管理オーダシートＳＴ２を利用する際には、オーダシートＳＴに対するフォルダリスト欄ＦＬの印刷を省略するものとする。
【００６５】
図５に示したフォルダ管理オーダシートＳＴ２を利用する場合には、図３に示したファイル管理ルーチンのステップＳ１５０では、オーダシートＳＴとフォルダ管理オーダシートＳＴ２の両者の読み込みを行う。そして、ステップＳ１６０では、このフォルダ管理オーダシートＳＴ２によって指定されたフォルダの操作処理を行う。すなわち、フォルダ管理オーダシートＳＴ２によってフォルダ名が変更されていれば、該当するフォルダの名称を変更し、サブフォルダの生成が指定されていれば、指定されたフォルダ名のフォルダを新たに生成する。また、フォルダの削除が指定されていれば、そのフォルダの削除を実行する。
【００６６】
以上で説明したフォルダ管理オーダシートＳＴ２によれば、画像ファイルだけではなく、画像ファイルの保存されるフォルダについても種々の操作を行うことが可能になる。
【００６７】
Ｃ．変形例：
以上、本発明の種々の実施例について説明したが、本発明はこのような実施例に限定されず、その趣旨を逸脱しない範囲で種々の構成を採ることができることはいうまでもない。例えば、以下のような変形が可能である。
【００６８】
（Ｃ１）変形例１：
上記実施例では、オーダシートＳＴの失敗度指定欄Ｃ５（図４参照）には、ユーザが、自分で失敗度を判断して設定を行うものとした。これに対して、印刷装置１００が、画像ファイルの失敗度を自動的に判定して、その値を規定値として薄い色で印刷するものとしてもよい。この場合、ＣＰＵ１６０は、図３のステップＳ１００で入力した画像ファイル毎に、手ブレやボヤケ、不正露出の有無を周知の画像処理技術で判別して、その判別結果に従い、失敗度を設定する。例えば、手ブレとボヤケ、不正露出の全てが検出された場合には、失敗度を「３」とし、これらのうち、２つが検出されたら、失敗度を「２」、１つ検出されたら失敗度を「１」などと設定することができる。また、お勧め度についても、印刷装置１００が自動的に判別するものとしてもよい。例えば、手ブレやボヤケ、不正露出などが検出されなかった場合に、お勧め度を「３」と設定することなどができる。
【００６９】
（Ｃ２）変形例２：
上記実施例では、メモリカードＭＣや、印刷装置１００が内蔵するハードディスク１９０に保存された画像ファイルについて種々のファイル操作を行うものとして説明した。これに対して、例えば、印刷装置１００とコンピュータとを接続し、コンピュータに所定のプログラムをインストールすることで、図３に示したファイル管理ルーチンと同様の処理を実行するものとしてもよい。このような構成であれば、オーダシートＳＴを用いて、コンピュータが記憶する画像ファイルについて種々のファイル操作を行うことが可能になる。
【図面の簡単な説明】
【００７０】
【図１】印刷装置１００の外観図である。
【図２】印刷装置１００の内部構成を示す説明図である。
【図３】ファイル管理ルーチンのフローチャートである。
【図４】オーダシートＳＴの一例を示す説明図である。
【図５】フォルダ管理オーダシートＳＴ２の一例を示す説明図である。
【符号の説明】
【００７１】
１００…印刷装置
１１０…スキャナ
１２０…メモリカードスロット
１３０…赤外線インタフェース
１３５…ＵＳＢインタフェース
１４０…操作パネル
１４５…液晶モニタ
１５０…制御ユニット
１６０…ＣＰＵ
１７０…ＲＯＭ
１８０…ＲＡＭ
１９０…ハードディスク
２１０…キャリッジ
２１１…インクヘッド
２１２…インクカートリッジ
２２０…キャリッジモータ
２３０…紙送りモータ
２６０…駆動ベルト
２７０…プラテン
２８０…摺動軸
ＭＣ…メモリカード
ＣＰ…携帯電話
ＳＴ…オーダシート
ＳＴ２…フォルダ管理オーダシート
【図１】
2007235339.tif 000003
【図２】
2007235339.tif 000004
【図３】
2007235339.tif 000005
【図４】
2007235339.tif 000006
【図５】
2007235339.tif 000007